(57)【特許請求の範囲】
【請求項１】
無線通信装置（ＵＥ）に情報を通知する方法であって、
基地局と前記ＵＥとの間で第１コンポーネントキャリア（ＣＣ）に関連するプライマリコンポーネントキャリアセル（Ｐｃｅｌｌ）を確立するステップと、
ＵＥに利用される第２ＣＣに関連するセカンダリコンポーネントキャリア（Ｓｃｅｌｌ）が物理ブロードキャストチャネル（ＰＢＣＨ）、同期信号（ＳＣＨ）及びセル固有リファレンス信号（ＣＲＳ）を有する必要があるか前記ＵＥのバージョンに基づき判定するステップと、
前記ＰＢＣＨ、前記ＳＣＨ又は前記ＣＲＳの少なくとも１つが前記Ｓｃｅｌｌに含まれる必要がない場合、前記Ｐｃｅｌｌを介し前記基地局から前記ＵＥに判定情報を送信するステップであって、前記判定情報は、前記Ｓｃｅｌｌを特定し、前記ＰＢＣＨ、前記ＳＣＨ又は前記ＣＲＳの少なくとも１つの欠落を前記ＵＥに通知するよう機能する、前記送信するステップと、
前記Ｓｃｅｌｌにおける前記ＰＢＣＨ、前記ＳＣＨ又は前記ＣＲＳの少なくとも１つに通常関連する１以上のリソースエレメント内でユーザデータを送信するステップと、
前記ＰＢＣＨ、前記ＳＣＨ及び前記ＣＲＳが前記Ｓｃｅｌｌに含まれる必要がある場合、前記Ｓｃｅｌｌ内の前記ＰＢＣＨ、前記ＳＣＨ及び前記ＣＲＳは従来通り前記ＵＥにより受信及び利用されるステップと、
を有する方法。
【請求項２】
前記ＵＥに前記判定情報を送信するステップは、前記Ｐｃｅｌｌを介しＲＲＣ（Ｒａｄｉｏ  Ｒｅｓｏｕｒｃｅ  Ｃｏｎｔｒｏｌ）シグナリングを用いて前記判定情報を送信するステップを有する、請求項１記載の方法。
【請求項３】
前記ＲＲＣシグナリングを用いて前記判定情報を送信するステップは、ＲＲＣ専用シグナリング又はＲＲＣブロードキャストシグナリングの少なくとも１つを有する、請求項２記載の方法。
【請求項４】
前記ＲＲＣシグナリングを用いて前記判定情報を送信するステップは、マスタ情報ブロック（ＭＩＢ）又はシステム情報ブロック（ＳＩＢ）の少なくとも１つにおいてＲＲＣ専用シグナリングを利用して前記判定情報を送信するステップを有する、請求項３記載の方法。
【請求項５】
前記判定情報は、前記ＵＥが前記Ｓｃｅｌｌにおいて利用する帯域幅リソースの割当てを特定する情報を有する、請求項１乃至４何れか一項記載の方法。
【請求項６】
前記基地局は、ｅｖｏｌｖｅｄ  Ｎｏｄｅ  Ｂ装置であり、
前記Ｐｃｅｌｌは、ＬＴＥ（Ｌｏｎｇ  Ｔｅｒｍ  Ｅｖｏｌｕｔｉｏｎ）規格に準拠する、請求項１乃至５何れか一項記載の方法。
【請求項７】
前記Ｓｃｅｌｌが前記ＰＢＣＨ、前記ＳＣＨ及び前記ＣＲＳを有しないと判断するステップと、
前記ＰＢＣＨ、前記ＳＣＨ又は前記ＣＲＳに関連する１以上のリソースエレメントを他のデータを搬送するためのダウンリンク物理共有チャネル（ＰＤＳＣＨ）に割り当てるステップと、
をさらに有する、請求項１乃至６何れか一項記載の方法。
【請求項８】
無線通信装置（ＵＥ）に情報を通知し、データを送信する基地局であって、
送受信機と、
１以上のアンテナと、
プロセッサと、
を有し、
前記プロセッサは、
当該基地局と前記ＵＥとの間で第１コンポーネントキャリアに関連するプライマリコンポーネントキャリアセル（Ｐｃｅｌｌ）を確立し、
前記ＵＥのために当該基地局により確立された又は確立されるセカンダリキャリアセル（Ｓｃｅｌｌ）が、物理ブロードキャストチャネル（ＰＢＣＨ）、同期信号（ＳＣＨ）及びセル固有リファレンス信号（ＣＲＳ）を含むか前記ＵＥのバージョンに基づき判断し、
前記ＰＢＣＨ、前記ＳＣＨ又は前記ＣＲＳの１以上が前記Ｓｃｅｌｌに含まれる必要がない場合、当該基地局から前記ＵＥに前記Ｐｃｅｌｌを介し前記Ｓｃｅｌｌを特定する判定情報であって、前記ＰＢＣＨ、前記ＳＣＨ又は前記ＣＲＳの少なくとも１つの欠落を前記ＵＥに通知する前記判定情報を送信し、
前記Ｓｃｅｌｌにおける前記ＰＢＣＨ、前記ＳＣＨ又は前記ＣＲＳの少なくとも１つに通常関連する１以上のリソースエレメント内でユーザデータを送信し、
前記ＰＢＣＨ、前記ＳＣＨ及び前記ＣＲＳが前記Ｓｃｅｌｌに含まれる必要がある場合、前記Ｓｃｅｌｌ内の前記ＰＢＣＨ、前記ＳＣＨ及び前記ＣＲＳは前記ＵＥにより従来通り受信及び利用される、
よう動作可能である基地局。
【請求項９】
前記プロセッサはさらに、前記Ｐｃｅｌｌを介しＲＲＣ（Ｒａｄｉｏ  Ｒｅｓｏｕｒｃｅ  Ｃｏｎｔｒｏｌ）シグナリングを利用して前記判定情報を送信するよう動作可能である、請求項８記載の基地局。
【請求項１０】
前記ＲＲＣシグナリングは、ＲＲＣ専用シグナリング又はＲＲＣブロードキャストシグナリングの少なくとも１つを有する、請求項９記載の基地局。
【請求項１１】
前記プロセッサはさらに、マスタ情報ブロック（ＭＩＢ）又はシステム情報ブロック（ＳＩＢ）の少なくとも１つにおいてＲＲＣ専用シグナリングを利用して前記判定情報を送信するよう動作可能である、請求項１０記載の基地局。
【請求項１２】
前記判定情報は、前記ＵＥが前記Ｓｃｅｌｌにおいて利用する帯域幅リソースの割当てを特定する情報を有する、請求項８乃至１１何れか一項記載の基地局。
【請求項１３】
当該基地局は、ＬＴＥ（Ｌｏｎｇ  Ｔｅｒｍ  Ｅｖｏｌｕｔｉｏｎ）規格に準拠したｅｖｏｌｖｅｄ  Ｎｏｄｅ  Ｂ装置からなる、請求項８乃至１２何れか一項記載の基地局。
【請求項１４】
前記プロセッサは、
前記Ｓｃｅｌｌが前記ＰＢＣＨ、前記ＳＣＨ及び前記ＣＲＳを含まないと判断し、
前記ＰＢＣＨ、前記ＳＣＨ又は前記ＣＲＳに関連する１以上のリソースエレメントを他のデータを搬送するためのダウンリンク物理共有チャネル（ＰＤＳＣＨ）に割り当てる、
よう動作可能である、請求項８乃至１２何れか一項記載の基地局。
【請求項１５】
無線通信システムにおけるセカンダリコンポーネントキャリアセル（Ｓｃｅｌｌ）内のリソースエレメント（ＲＥ）を動的に割り当てる方法であって、
ｅｖｏｌｖｅｄ  Ｎｏｄｅ−Ｂ（ｅＮｏｄｅＢ）とユーザ装置（ＵＥ）との間で第１コンポーネントキャリア（ＣＣ）に関連するプライマリコンポーネントキャリアセル（Ｐｃｅｌｌ）を確立するステップと、
ＵＥに利用される前記Ｓｃｅｌｌが所定の第１ＲＥセットに割り当てられたブロードキャストチャネル、所定の第２ＲＥセットに割り当てられた同期信号及び所定の第３ＲＥセットに割り当てられたリファレンス信号を含む必要があるか前記ＵＥのバージョンに基づき判定するステップと、
前記Ｓｃｅｌｌが前記所定の第１ＲＥセットに割り当てられたブロードキャストチャネル、前記所定の第２ＲＥセットに割り当てられた同期信号又は前記所定の第３ＲＥセットに割り当てられたリファレンス信号の１以上を含む必要がないことを示す判定情報を前記ｅＮｏｄｅＢによって生成するステップと、
前記ｅＮｏｄｅＢから前記ＵＥに前記Ｐｃｅｌｌを介し前記判定情報を送信するステップと、
前記所定の第１ＲＥセット、第２ＲＥセット又は第３ＲＥセットの１つの内のＲＥの１以上を、前記ＲＥが前記ＵＥにデータを搬送することを可能にする前記Ｓｃｅｌｌのダウンリンク物理共有チャネルに割り当てるステップと、
前記Ｓｃｅｌｌを介し前記ＵＥに前記１以上の割り当てられたＲＥ内においてデータを送信するステップと、
を有する方法。
【発明の詳細な説明】
【技術分野】
【０００１】
本開示は、通信システム及び方法に関し、特に無線信号の送受信のための方法及びシステム並びに関連するシグナリング方法に関する。
【背景技術】
【０００２】
参照することによりここに援用されるＴｈｅ  Ｔｈｉｒｄ  Ｇｅｎｅｒａｔｉｏｎ  Ｐａｒｔｎｅｒｓｈｉｐ  Ｐｒｏｊｅｃｔ（３ＧＰＰ）  Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ，Ｒｅｑｕｉｒｅｍｅｎｔｓ  ｆｏｒ  Ｆｕｒｔｈｅｒ  Ａｄｖａｎｃｅｍｅｎｔｓ  ｆｏｒ  Ｅ−ＵＴＲＡ（ＬＴＥ−Ａｄｖａｎｃｅｄ又はＬＴＥ−Ａ），Ｒｅｌｅａｓｅ−１０（３ＧＰＰ  ＴＲ  ３６．９１３  Ｖ８．０．０  （２００８−０６））のＬＴＥ−Ａｄｖａｎｃｅｄネットワークは、１Ｇｂｐｓのダウンリンク（ＤＬ）ピークデータレートと、５００Ｍｂｐｓのアップリンク（ＵＬ）ピークデータレートとをターゲットとする。Ｒｅｌｅａｓｅ−８（ＬＴＥ）とＲｅｌｅａｓｅ−１０（ＬＴＥ−Ａｄｖａｎｃｅｄ）とを比較すると、ＵＬピークデータレートは５０Ｍｂｐｓから５００Ｍｂｐｓまで増加し、ピークダウンリンク（ＤＬ）レートは１Ｇｐｂｓまで増加した。
【０００３】
ＬＴＥ−Ａｄｖａｎｃｅｄの１つの重要な特徴は、提供することが意図される先進的なトポロジーネットワークであるラージセル（マクロ）とスモールセル（ピコ、フェムト、リモートラジオヘッド）との混合と中継ノードとを備えたヘテロジーニアスネットワークである。ＬＴＥと比較して、ＬＴＥ−Ａは、多数のより小型で低電力のノード又はセルの追加を提供し、キャパシティ及びカバレッジを向上させる。向上したデータレートを提供するため、ＬＴＥ−Ａｄｖａｎｃｅｄは、データレートを増加し、ユーザ装置（ＵＥ）に対してより大きな帯域幅を提供するため、複数のキャリアのアグリゲーションを表す“マルチキャリア”を導入する。セル間協調送受信（ＣｏＭＰ）として知られるさらなるエンハンスメントが、例えば、Ｒｅｌｅａｓｅ−１１，Ｒｅｌｅａｓｅ−１１，Ｒｅｌｅａｓｅ−１２又は以降のものなどのＬＴＥの将来のリリースにおいて検討されている。ＣｏＭＰによると、ＵＥは、複数のポイントから連係して信号を送受信でき、複数のポイントは複数のセル又は複数のサイト、さらに複数のアンテナであってもよい。
【０００４】
ＬＴＥ又はＬＴＥ−Ａに準拠したシステムでは、キャリアアグリゲーションのための複数のコンポーネントキャリアが存在する。ＬＴＥ  Ｒｅｌｅａｓｅ−１０では、各コンポーネントキャリア（ＣＣ）は、Ｒｅｌｅａｓｅ−８に互換的なコンポーネントキャリアである。すなわち、Ｒｅｌｅａｓｅ−８のＵＥは、各コンポーネントキャリアを介しデータを送受信する機能を有する。従って、Ｒｅｌｅａｓｅ−８に互換的な各コンポーネントキャリアについて、ブロードキャストチャネル（ＰＣＨ）を搬送する物理ブロードキャストチャネル（ＰＢＣＨ）、ダウンリンク共有チャネル（ＤＬ−ＳＣＨ）及びページングチャネル（ＰＣＨ）を搬送するダウンリンク物理共有チャネル（ＰＤＳＣＨ）、マルチキャストチャネル（ＭＣＨ）を搬送する物理マルチキャストチャネル（ＰＭＣＨ）、ＤＣＩ情報を搬送するダウンリンク物理制御チャネル（ＰＤＣＣＨ）、ＨＩ情報を搬送する物理制御フォーマットインジケータチャネル（ＰＣＦＩＣＨ）、及びＣＦＩ情報を搬送する物理ハイブリッドＡＲＱインジケータチャネル（ＰＨＩＣＨ）を含むダウンリンクにおける各ＣＣの複数の物理／トランスポートチャネルがある。さらに、３ＧＰＰ  ＴＳ  ３６．２１１，３６．２１２，３６．２１３などの３ＧＰＰ  Ｒｅｌｅａｓｅ−８規格に示されるように、共通リファレンス信号（ＣＲＳ）、チャネル状態情報リファレンス信号又はチャネル状態インジケータリファレンス信号（ＣＳＩ−ＲＳ）、ポジショニングリファレンス信号（ＰＲＳ）、復調リファレンス信号（ＤＭ−ＲＳ）、プライマリ同期信号及びセカンダリ同期信号を含むダウンリンクの各ＣＣの多数のリファレンス及び同期信号がある。
【０００５】
Ｒｅｌｅａｓｅ−８及びＲｅｌｅａｓｅ−１０では、ＣＲＳ信号は、ＵＥがＰＤＣＣＨ及び他の共通チャネルの復調と共に、測定及びフィードバックのためにチャネル推定を実行することを可能にするリファレンス信号である。Ｒｅｌｅａｓｅ−１０では、ＣＳＩ−ＲＳ信号が、特に複数のアンテナケースにためチャネル状態を測定するために、Ｒｅｌｅａｓｅ−１０のＵＥのため導入及び利用される。さらに、他のフィードバック情報は、プリコーディングマトリックスのプリコーディングマトリックスインジケータ（ＰＭＩ）、チャネルクオリティインジケータ（ＣＱＩ）及びランクインジケータ（ＲＩ）などのＣＳＩ−ＲＳの測定に基づくものであってもよい。ＣＳＩ−ＲＳ信号（Ｒｅｌｅａｓｅ−１０において）は、８つまでの送信アンテナをサポート可能である一方、ＣＲＳ信号（Ｒｅｌｅａｓｅ−８／９）は、最大で４つの送信アンテナしかサポートできない。ＣＳＩ−ＲＳアンテナポートの個数は、１，２，４及び８とすることが可能である。ＣＲＳ信号と同数のアンテナポートをサポートしながら、ＣＳＩ−ＲＳ信号は、時間及び周波数においてそれの低密度のためはるかに少ないオーバヘッドしか利用しない。ＣＳＩ−ＲＳ信号パターンは、ラジオリソースコントローラ（ＲＲＣ）信号を用いてＵＥに送信され、８つまでの送信アンテナをサポートできる。ＣＳＩ−ＲＳ信号は、サブフレームオフセットにより繰り返し／定期的に送信される。
【０００６】
近傍セルのＣＳＩ−ＲＳ信号により生じる干渉を低減するため、ミュート処理がＰＤＳＣＨの送信の対して実行される。すなわち、ＰＤＳＣＨの送信は、理想的にはミュート処理パターンにより示されるミュート化されたリソースエレメントにおいては何も送信すべきでない。ミュート処理パターンをＲｅｌｅａｓｅ−１０のＵＥに通知するシグナリングがあるため、ＵＥは、ＰＤＳＣＨの受信においてミュート化されたリソースエレメントを破棄することができる。
【０００７】
ミュート処理パターンは、１６ビットのビットマップを用いてＵＥに通知される。各ビットは、４ポートのＣＳＩ−ＲＳパターンを表す。ビット１は、４ポートＣＳＩ−ＲＳパターンがミュート化されていることを示し、ビット０は、４ポートＣＳＩ−ＲＳパターンがミュート化されていないことを示す。
【０００８】
一般的な用語では、直交周波数分割多重接続（ＯＦＤＭＡ）は、周波数帯域幅を周波数領域において複数のサブキャリアに分割する。時間領域では、１つのサブフレームは、複数のＯＦＤＭシンボルに分割される。各ＯＦＤＭシンボルは、複数のパス遅延から生じるシンボル間干渉を回避又は低減するためサイクリックプリフィックスを有してもよい。１つのリソースエレメントは、１つのサブキャリア及び１つのＯＦＤＭシンボル内の時間周波数リソースにより規定される。リファレンス信号と、データチャネル（ＰＤＳＣＨ）及び制御チャネル（ＰＤＣＣＨ）などの他の信号とは直交し、時間周波数領域において異なるリソースエレメントに多重化される。これらの信号は、リソースエレメントに変調及びマッピングされる（周波数領域の各ＯＦＤＭシンボル変換信号毎に時間領域の信号への逆フーリエ変換）。
【０００９】
キャリアアグリゲーションが利用されるとき、ＵＥ及びｅＮｏｄｅＢは、２以上のコンポーネントキャリア（ＣＣ）を用いて通信する。各コンポーネントキャリアはまた、“セル”とも呼ばれる。参考のため、プライマリセル（ＰＣｅｌｌ）という用語は、ＵＥが初期的な接続確立処理を実行するか、又は接続再確立処理を開始するプライマリ周波数（コンポーネントキャリア）において動作するセル、又はハンドオーバ処理においてプライマリセルとして示されるセルを含む。セカンダリセル（ＳＣｅｌｌ）という用語は、ＵＥとのＰＣｅｌｌが確立されると設定され、追加的な無線リソースを提供するのに利用されるセカンダリ周波数（コンポーネントキャリア）上で動作するセルを含む。
【００１０】
確立されると、Ｐｃｅｌｌ接続は、Ｓｃｅｌｌの設定のためシステム情報及びセルＩＤ情報をＵＥに通知するのに利用される。ヘテロジーニアスタイプネットワークでは、このＳｃｅｌｌは、他のセルによる干渉を受ける可能性があり、これにより、ＵＥはＳｃｅｌｌの同期信号を検出することに失敗する。Ｐｃｅｌｌは、ＵＥにＰｃｅｌｌの同期情報（及びサイクリックプリフィックス情報）がまたＳｃｅｌｌに対して利用可能であることを通知してもよい。
【００１１】
しかしながら、この従来のシステム設計は、物理ブロードキャストチャネル（ＰＢＣＨ）、同期信号（ＳＣＨ）及び／又はＣＲＳ信号（ＣＲＳ）が常にセカンダリコンポーネントキャリア上で報知されることを想定している。
【発明の概要】
【発明が解決しようとする課題】
【００１２】
本開示によると、無線通信装置（ＵＥ）に情報を通知する方法が提供される。第１コンポーネントキャリアに関連するプライマリコンポーネントキャリアセル（Ｐｃｅｌｌ）は、基地局とＵＥとの間で確立され、第１コンポーネントキャリア（ＣＣ）に関連する。判定情報は、Ｐｃｅｌｌを介し基地局からＵＥに送信され、第２ＣＣに関連するセカンダリコンポーネントキャリアセル（Ｓｃｅｌｌ）を特定し、Ｓｃｅｌｌにおける物理ブロードキャストチャネル（ＰＢＣＨ）、１以上の同期信号（ＳＣＨ）又は１以上のセル固有リファレンス信号（ＣＲＳ）の少なくとも１つの欠落をＵＥに通知するよう機能する。ユーザデータは、ＳｃｅｌｌにおけるＰＢＣＨ、ＳＣＨ又はＣＲＳの少なくとも１つに通常関連する１以上のリソースエレメント内においてＵＥに送信される。
【００１３】
本開示の他の実施例によると、無線通信装置（ＵＥ）に情報を通知し、データを送信する基地局が提供される。基地局は、送信機、１以上のアンテナ及びプロセッサを含む。プロセッサは、基地局とＵＥとの間で第１コンポーネントキャリア（ＣＣ）に関連するプライマリコンポーネントキャリアセル（Ｐｃｅｌｌ）を確立し、基地局により確立された又は確立されるセカンダリキャリアセル（Ｓｃｅｌｌ）が、Ｓｃｅｌｌにおける物理ブロードキャストチャネル（ＰＢＣＨ）、１以上の同期信号（ＳＣＨ）又は１以上のセル固有リファレンス信号（ＣＲＳ）の少なくとも１つの１以上を有するか判断し、Ｓｃｅｌｌを特定し、ＳｃｅｌｌにおけるＰＢＣＨ、ＳＣＨ又はＣＲＳの少なくとも１つの欠落をＵＥに通知する判定情報を基地局からＵＥにＰｃｅｌｌを介し送信し、ＳｃｅｌｌにおけるＰＢＣＨ、ＳＣＨ又はＣＲＳの少なくとも１つに通常関連する１以上のリソースエレメント内でユーザデータを送信するよう動作可能である。
【００１４】
本開示のさらなる他の実施例によると、無線通信システムにおけるセカンダリコンポーネントキャリアセル（Ｓｃｅｌｌ）内のリソースエレメント（ＲＥ）を動的に割当て（又は再割当て）する方法が提供される。本方法は、ｅｖｏｌｖｅｄ  Ｎｏｄｅ−Ｂ（ｅＮｏｄｅＢ）とＵＥとの間でＰｃｅｌｌが第１コンポーネントキャリア（ＣＣ）に関連するプライマリコンポーネントキャリアセル（Ｐｃｅｌｌ）を確立するステップと、Ｓｃｅｌｌが所定の第１ＲＥセットに割り当てられるブロードキャストチャネル、所定の第２ＲＥセットに割り当てられる同期信号、又は所定の第３ＲＥセットに割り当てられるリファレンス信号の１以上を含まないことを示す判定情報をｅＮｏｄｅＢによって生成するステップとを有する。ｅＮｏｄｅＢは、Ｐｃｅｌｌを介しＵＥに判定情報を送信し、所定の第１ＲＥセット、第２ＲＥセット又は第３ＲＥセットの１つ内のＲＥの１以上が、ＲＥがデータをＵＥに搬送することを可能にするＳｃｅｌｌのダウンリンク物理共有チャネルに割り当てられる（再割り当てされる）。本方法はさらに、Ｓｃｅｌｌを介し１以上の割り当てられた（又は再割り当てされた）ＲＥ内でデータをＵＥに送信することを含む。
【００１５】
他の技術的特徴は、以下の図面、説明及び請求項から当業者に容易に明らかになるであろう。
【図面の簡単な説明】
【００１６】
本発明及びそれの効果のより完全な理解のため、同様の番号が同様のオブジェクトを示す添付した図面と共に行われる以下の説明が参照される。
【図１】図１は、ここに開示される１以上の実施例が実現可能な通信システムのシステムブロック図である。
【図２】図２は、図１に示されるＵＥを示す全体的なブロック図である。
【図３】図３は、図１に示されるｅｖｏｌｖｅｄ  Ｎｏｄｅ  Ｂ（ｅＮｏｄｅＢ）を示す全体的なブロック図である。
【図４】図４は、本開示の実施例によるＲＡＮ及びコアネットワークの一例となるシステム図を示す。
【図５】図５は、本開示によるリソースエレメントを動的に割り当てる処理のフロー図である。
【図６】図６は、ｅＮｏｄｅＢ及びリモートラジオヘッドを有するシステムセルを示す。
【図７】図７は、ｅＮｏｄｅＢ及びリモートラジオヘッドを有するシステムセルを示す。
【図８】図８は、セルの２つのコンポーネントキャリアのリソースと、セカンダリＣＣ内のリソースブロックの部分的な割当の一例とを示す。
【図９】図９は、セカンダリＣＣ内のリソースの部分的な割当の他の具体例を示す。
【図１０】図１０は、セカンダリＣＣ内のリソースの部分的な割当のさらなる他の具体例を示す。
【発明を実施するための形態】
【００１７】
各種実施例の構成及び実現が、以下において詳細に説明される。しかしながら、本開示は広範な具体的なコンテクストにおいて実現可能な多数の適用可能な発明概念を提供することが理解されるべきである。ここに開示される特定の実施例がここでの教示及び技術を作成及び実現するための具体的な方法の単なる例示であるが、それらは、本開示の範囲を限定するものでない。
【００１８】
図１を参照して、１以上の実施例が実現される一例となる通信システム１００の全体的なブロック図が示される。システム１００は、複数の無線ユーザがデータ及びコンテンツを送受信することを可能にし、符号分割多重接続（ＣＤＭＡ）、時分割多重接続（ＴＤＭＡ）、周波数分割多重接続（ＦＤＭＡ）、直交ＦＤＭＡ（ＯＦＤＭＡ）、シングルキャリアＦＤＭＡ（ＳＣ−ＦＤＭＡ）及び他のチャネル接続プロトコルなどの１以上のチャネル接続方法を実現するものであってもよい。
【００１９】
通信システム１００は、ＵＥ１１０ａ，１１０ｂ，１１０ｃ、第１及び第２無線アクセスネットワーク（ＲＡＮ）１２０ａ，１２０ｂ、コアネットワーク１３０、ＰＳＴＮ（Ｐｕｂｌｉｃ  Ｓｗｉｔｃｈｅｄ  Ｔｅｌｅｐｈｏｎｅ  Ｎｅｔｗｏｒｋ）１４０、インターネット１５０及び他のネットワーク１６０を含む。これらのコンポーネント又は要素の何れかのタイプ及び個数がシステム１００に含まれてもよい。ＵＥ１１０は、システム１００において動作及び／又は通信するよう構成される。例えば、ＵＥ１１０は、無線信号を送信及び／又は受信するよう構成されてもよく、ユーザ装置（ＵＥ）、無線送受信ユニット（ＷＴＲＵ）、移動局、固定又は移動加入ユニット、ページャ、携帯電話、ＰＤＡ（Ｐｅｒｓｏｎａｌ  Ｄｉｇｉｔａｌ  Ａｓｓｉｓｔａｎｔ）、スマートフォン、ラップトップ、コンピュータ、タッチパッド、無線センサ、家電機器などとして当該装置を有してもよい（又は参照されてもよい）。
【００２０】
図１に示されるように、システム１００はまた、複数の基地局１７０ａ及び１７０ｂを有する。各基地局は、コアネットワーク１３０、ＰＳＴＮ１４０、インターネット１５０及び／又は他のネットワーク１６０へのアクセスを可能にするため、ＵＥ１１０の１以上と無線によりやりとりするよう構成される。例えば、基地局１７０ａ，１７０ｂは、ＢＴＳ（Ｂａｓｅ  Ｔｒａｎｓｃｅｉｖｅｒ  Ｓｔａｔｉｏｎ）、Ｎｏｄｅ−Ｂ（ＮｏｄｅＢ）、ｅｖｏｌｖｅｄ  Ｎｏｄｅ  Ｂ（ｅＮｏｄｅＢ）、Ｈｏｍｅ  Ｎｏｄｅ  Ｂ、Ｈｏｍｅ  ｅＮｏｄｅＢ、サイトコントローラ、アクセスポイント（ＡＰ）及び無線ルータなどの複数の周知の装置の１以上を含むものであってもよい（であってもよい）。
【００２１】
図示された実施例では、基地局１７０ａは、他の基地局、要素及び／又は装置を含むＲＡＮ１２０ａの一部を構成し、基地局１７０ｂは、他の基地局、要素及び／又は装置を含むＲＡＮ１２０ｂの一部を構成する。各基地局１７０ａ，１７０ｂは、“セル”と呼ばれることもある特定の地理的領域又はエリア内で無線信号を送受信するよう動作する。さらに、各セルに対して複数の送受信機を有するＭＩＭＯ（Ｍｕｌｔｉｐｌｅ−Ｉｎｐｕｔ  Ｍｕｌｔｉｐｌｅ−Ｏｕｔｐｕｔ）技術が、利用されてもよい。
【００２２】
基地局１７０ａ，１７０ｂは、無線通信リンクを利用して１以上の無線インタフェース（参照番号１９０により特定される）を介しＵＥ１１０の１以上と通信する。無線インタフェース１９０は、何れか適切な無線アクセス技術を利用してもよい。
【００２３】
システム１００は、上述されたような方式を含む複数のチャネルアクセス機能を利用してもよいことが想定される。実施例では、基地局及びＵＥは、ＬＴＥ及び／又はＬＴＥ−Ａを実現する。理解されるように、他の複数のアクセス方式及び無線プロトコルが利用されてもよい。
【００２４】
ＲＡＮ１２０ａと１２０ｂとは共に、ＵＥに音声、データ、アプリケーション及び／又はＶｏＩＰ（Ｖｏｉｃｅ  ｏｖｅｒ  Ｉｎｔｅｒｎｅｔ  Ｐｒｏｔｏｃｏｌ）サービスを提供するため、コアネットワーク１３０と通信する。理解できるように、ＲＡＮ１２０及び／又はコアネットワーク１３０は、１以上の他のＲＡＮ（図示せず）と直接的又は間接的な通信を行ってもよい。コアネットワーク１３０は、他のネットワーク（ＰＳＴＮ１４０、インターネット１５０、他のネットワーク１６０）のためのゲートウェイアクセスとして機能してもよい。さらに、ＵＥ１１０の一部又は全ては、異なる無線技術及び／又はプロトコルを利用して異なる無線リンクを介し異なる無線ネットワークと通信する機能を有してもよい。
【００２５】
図２を参照して、一例となるＵＥ１１０の全体的なブロック図が示される。ＵＥ１１０は、プロセッサ２００、送受信機２１０、アンテナ要素２２０、１以上の入出力装置２３０（スピーカー／マイクロフォン、キーパッド、ディスプレイ／タッチパッドなど）及びメモリ２４０を有する。ＵＥ１１０は、１以上の他のコンポーネント、装置又は機能（図示せず）を有してもよい。ＵＥ１１０は、上述された要素のうちより少数又は多数を含むものであってもよいことが理解されるであろう。
【００２６】
プロセッサ２００は、汎用、特定用途又はデジタル信号プロセッサであってもよく、複数のプロセッサ又はこれらのプロセッサの組み合わせであってもよい。プロセッサ１２０は、信号符号化、データ処理、電力制御、入出力処理及び／又はＵＥ１１０がシステム１００において動作することを可能にする他の何れかの機能を実行するための機能を有する。プロセッサ２００は、アンテナ要素２２０に接続される送受信機２１０に接続される。プロセッサ２００及び送受信機２１０が別々のコンポーネントであるか、又は一緒に統合されていることが理解されるであろう。同様に、アンテナ要素２２０は、単一の要素又は複数の要素であってもよい（複数のアンテナ又は要素）。
【００２７】
送受信機２１０は、アンテナ２２０による送信用のデータ又は信号を変調し、アンテナ２２０により受信されたデータ又は信号を復調するよう構成される。
【００２８】
プロセッサ２００は、ユーザデータを入出力するよう動作可能な１以上の入出力装置２３０（ポート又はバスを含む）に接続される。さらに、プロセッサ２００は、データを格納及び抽出するよう動作可能なメモリ２３０に接続される。ＲＡＭ（Ｒａｎｄｏｍ  Ａｃｃｅｓｓ  Ｍｅｍｏｒｙ）、ＲＯＭ（Ｒｅａｄ−Ｏｎｌｙ  Ｍｅｍｏｒｙ）、ハードディスク、ＳＩＭ（Ｓｕｂｓｃｒｉｂｅｒ  Ｉｄｅｎｔｉｔｙ  Ｍｏｄｕｌｅ）カード、メモリスティック、セキュアデジタル（ＳＤ）メモリカードなどの何れか適切なタイプのメモリストレージ装置が含まれてもよい。
【００２９】
ＵＥ１１０内に含まれる他の要素又は装置は、本開示の理解に必要又は関連しない場合には、ここでは説明されない。
【００３０】
図３を参照して、本開示の実施例によるＲＡＮ１２０ａ及びコアネットワーク１３０のシステム図が示される。本実施例では、ＲＡＮ１２０ａは、無線インタフェース１９０を介しＷＴＲＵ１１０ａ，１１０ｂと通信するため、ＬＴＥ−Ａ無線アクセスインタフェース技術を利用する。ＲＡＮ１２０ａはまた、コアネットワーク１３０６と通信し、ＲＡＮ１２０ｂと通信してもよい（ＲＡＮ１２０ｂは図３には図示されていないが）。
【００３１】
図示されるように、ＲＡＮ１２０ａは、ｅＮｏｄｅＢ３００ａ，３００ｂ，３００ｃなどの１以上のｅＮｏｄｅＢを有する。ｅＮｏｄｅＢのそれぞれは、無線インタフェース１９０を介しＵＥと通信するための１以上の送受信機を有する。一実施例では、ｅＮｏｄｅＢは、ＵＥ１１０ａ，１１０ｂと無線信号を送受信するため複数のアンテナを利用するＭＩＭＯ技術を実現する。
【００３２】
参照の容易のため、以下の説明は、ｅＮｏｄｅＢ３００ａ及びＵＥ１１０ａのインタラクションに着目する。ｅＮｏｄｅＢ３００ａは、各セルが異なるキャリア周波数又はコンポーネントキャリア（ＣＣ）を含む可能性があり、無線リソース管理判定、ハンドオーバ判定、アップリンク及び／又はダウンリンクにおけるユーザのスケジューリングなどの典型的なｅＮｏｄｅＢ機能を処理するよう構成される１以上のセル（図示せず）と関連付けされる。図３に示されるように、ｅＮｏｄｅＢは、Ｘ２インタフェースを介し互いに通信してもよい。
【００３３】
コアネットワーク１３０は、モビリティ管理ゲートウェイ（ＭＭＥ）３１０、サービングゲートウェイ３２０及びパケットデータネットワーク（ＰＤＮ）ゲートウェイ３３０を有してもよい。ＭＭＥ３１０は、Ｓ１インタフェースを介しＲＡＮ１２０ａにおいて各ｅＮｏｄｅＢと接続され、ＵＥのユーザの認証、ベアラセットアップ／コンフィギュレーション／リリース、及びＷＴＲＵの初期的な取得中の特定のサービングゲートウェイの選択を行う制御ノードとして機能する。ＭＭＥはまた、ＲＡＮ１２０ａと他のＲＡＮ（図示せず）との間のスイッチングのための制御プレーン機能を提供してもよい。
【００３４】
サービングゲートウェイ３２０は、Ｓ１インタフェースを介し各ｅＮｏｄｅＢに接続され、ＵＥとの間でユーザデータパケットをルーティング及び転送する。サービングゲートウェイ３２０は、ｅＮｏｄｅＢ間ハンドオーバ中のユーザプレーンのアンカー処理、ダウンリンクデータがＵＥに対して利用可能であるときのページングのトリガ、及びＵＥのコンテクストの管理及び格納などの他の機能を実行してもよい。サービングゲートウェイ１４４はまた、通信を実現するため、インターネット１５０などの他のパケット交換ネットワークへのアクセスをＵＥに提供するＰＤＮゲートウェイ３３０に接続されてもよい。
【００３５】
コアネットワーク１３０はまた、従来の固定通信装置との回線交換ネットワーク（ＰＳＴＮ１４０）とＵＥとの間などの他のネットワークとの通信を実現してもよい。
【００３６】
図４を参照して、プロセッサ４００、送信機４１０、受信機４２０、アンテナ４３０及びメモリ４４０を有する一例となるｅＮｏｄｅＢ３００のブロック図が示される。さらなる適したコンポーネント又は装置が含まれてもよい（図示されないが）。アンテナ４３０は、１以上のアンテナ及び／又は１以上の要素を有してもよい（複数のアンテナ又は要素）。
【００３７】
ｅＮｏｄｅＢ３００の構成及び処理は、当業者により容易に認識及び理解され、本開示の理解に筆等でない場合、又はここに提案される新規又は追加的な機能を除き、それの構成又は処理のさらなる説明はここでは提供されない。
【００３８】
本明細書における参照のため、“コンポーネントキャリア（ＣＣ）”という用語は、ＵＥ（及びｅＮｏｄｅＢ）が動作する周波数を含む。
【００３９】
ＵＥは、ダウンリンク（ＤＬ）ＣＣ上の伝送を受信する。ＤＬ  ＣＣは、マッピングされたトランスポートチャネルと共に１以上のＤＬ物理チャネルを有してもよい（上述した背景で説明されたように）。
【００４０】
ＰＣＦＩＣＨにおいて、ＵＥは、ＤＬ  ＣＣの制御領域のサイズを示す制御データを受信する。ＰＨＩＣＨにおいて、ＵＥは、以前のアップリンク送信のためのＨＡＲＱ（Ｈｙｂｒｉｄ  Ａｕｔｏｍａｔｉｃ  Ｒｅｐｅａｔ  Ｒｅｑｕｅｓｔ）アクノリッジメント／ネガティブアクノリッジメント（ＡＣＫ／ＮＡＣＫ）フィードバックを示す制御データを受信してもよい。ＰＤＣＣＨにおいて、ＵＥは、ダウンリンク及びアップリンクリソースをスケジューリングするのに主として利用されるＤＣＩメッセージを受信する。ＰＤＳＣＨにおいて、ＵＥは、ユーザ及び／又は制御データを受信してもよい。
【００４１】
ＵＥは、アップリンク（ＵＬ）ＣＣ上の伝送を送信してもよい。ＵＬ  ＣＣは、アップリンク物理制御チャネル（ＰＵＣＣＨ）及びアップリンク物理共有チャネル（ＰＵＳＣＨ）などの１以上のＵＬ物理チャネルを含むものであってもよい。ＰＵＳＣＨにおいて、ＵＥは、ユーザ及び／又は制御データを送信してもよい。ＰＵＣＣＨにおいて、及びいくつかのケースではＰＵＳＣＨにおいて、ＵＥは、アップリンク制御情報（ＣＱＩ（Ｃｈａｎｎｅｌ  Ｑｕａｌｉｔｙ  Ｉｎｄｉｃａｔｏｒ）／プリコーディングマトリックスインデックス（ＰＭＩ）／ＲＩ（Ｒａｎｋ  Ｉｎｄｉｃａｔｉｏｎ）又はスケジューリングリクエスト（ＳＲ）など）及び／又はＨＡＲＱ  ＡＣＫ／ＮＡＣＫフィードバックを送信してもよい。ＵＬ  ＣＣにおいて、ＵＥにはまた、サウンディングリファレンス信号（ＳＲＳ）の送信のための専用のリソースが割り当てられてもよい。
【００４２】
“セル”は、任意的には、ＵＥにより受信されるシステム情報（ＳＩ）に基づきＵＬ  ＣＣにリンクされるＤＬ  ＣＣとして説明される。このＳＩは、ＤＬ  ＣＣ上で報知されるか、又はネットワークから専用のコンフィギュレーションシグナリングを用いて送信される。例えば、ＤＬ  ＣＣ上で報知されるとき、ＵＥは、ＳｙｓｔｅｍＩｎｆｏｒｍａｔｉｏｎＢｌｏｃｋＴｙｐｅ２（ＳＩＢ２）情報要素の一部としてリンクされたＵＬ  ＣＣのアップリンク周波数及び帯域幅を受信してもよい。
【００４３】
参照のため、プライマリセル（ＰＣｅｌｌ）という用語は、ＵＥが初期的な接続確立処理を実行するか、又は接続再確立処理を開始するプライマリ周波数（コンポーネントキャリア）で動作するセル、又はハンドオーバ処理におけるプライマリセルとして示されるセルを含む。セカンダリセル（ＳＣｅｌｌ）という用語は、ＲＲＣ接続が確立されると設定され、追加的な無線リソースを提供するのに利用されるセカンダリ周波数（コンポーネントキャリア）上で動作するセルを含む。
【００４４】
典型的には、互換的なコンポーネントキャリア（ＣＣ）がプライマリセル（Ｐｃｅｌｌ）として機能し、互換的なＣＣがセカンダリセル（Ｓｃｅｌｌ）として機能する。Ｒｅｌｅａｓｅ−１０では、Ｓｃｅｌｌは、Ｐｃｅｌｌと同じシステムフレーム番号又は同じ時間／周波数同期を有すると想定されてもよく、従って、時間／周波数同期が、ＵＥによるＰｃｅｌｌのモニタリングによって取得及び／又は維持できる。従って、ＰｃｅｌｌのＰＤＣＣＨ情報は、ＳｃｅｌｌのＰＤＳＣＨをスケジューリングするのに利用可能であり、これは、キャリアアグリゲーションシナリオのケースにおけるＲｅｌｅａｓｅ−１０に規定されるクロスキャリアスケジューリングである。
【００４５】
Ｒｅｌｅａｓｅ−１０では、Ｓｃｅｌｌ設定情報（ＳｃｅｌｌのセルＩＤ、Ｓｃｅｌｌコンポーネントキャリアの中心周波数、アンテナポート情報など）が、Ｐｃｅｌｌのコンポーネントキャリアを用いてＵＥに送信される。ヘテロジーニアスタイプネットワークでは、Ｓｃｅｌｌの同期信号は、近傍セルによる干渉のため検出不可である可能性がある。３ＧＰＰ  ＲＡＮ１  ｃｏｎｔｒｉｂｕｔｉｏｎ  Ｒ１−１１００３１では、近傍セルからの重大な干渉を有する互換的なコンポーネントキャリアＳｃｅｌｌ（それのＰｃｅｌｌについて同じＣＣを利用するマクロセルなど）が導入される。Ｓｃｅｌｌは、同期信号（ＳＣＨ）の検出及びＰＢＣＨの復号化に基づきＲｅｌｅａｓｅ−８／Ｒｅｌｅａｓｅ−１０のＵＥによってアクセス不可である（ＳＣＨ／ＰＢＣＨ信号／チャネルは干渉を受ける可能性があるため）。従って、重大な干渉のあるＳｃｅｌｌの時間／周波数同期に対してリファレンスセル及びサイクリックプリフィックス長（通常又は拡張）をＵＥのＰｃｅｌｌを介しＵＥに通知するための様々な提案が、Ｒ１−１１００３１において導入された。
【００４６】
例えば、Ｒｅｌｅａｓｅ−１１又は以降のＵＥなどの互換性のないＣＣを用いた通信機能を備えたＵＥに対して、Ｓｃｅｌｌはオーバヘッドを削除することによってより良好なスペクトル効率のため、又はＲｅｌ−８において規定される６つの値、１．４ＭＨｚ（６ＲＢ），３ＭＨｚ（１５ＲＢ），５ＭＨｚ（２５ＲＢ），１０ＭＨｚ（５０ＲＢ），１５ＭＨｚ（７５ＲＢ）及び２０ＭＨｚ（１００ＲＢ）の１つの代わりに、フレキシブルな帯域幅コンフィギュレーションを有するようフレキシブルに設定可能である。しかしながら、Ｓｃｅｌｌが従来のＵＥ（Ｒｅｌｅａｓｅ−８又はＲｅｌｅａｓｅ−１０）に対してサービス提供する必要がある場合、Ｓｃｅｌｌの帯域幅／チャネルのコンフィギュレーションに対して制約がある。すなわち、ＳｃｅｌｌのＣＣは、ＰＢＣＨ／ＳＣＨ／ＣＲＳチャネル／信号のすべてを含むことが必要となる可能性がある。そうでない場合、従来のＵＥは、データ送信及び／又は受信のためＳｃｅｌｌを利用することができなくなる可能性がある。
【００４７】
従って、本開示は、ＳｃｅｌｌのＣＣがＰＢＣＨ／ＳＣＨ／ＣＲＳチャネル／信号を有するかＵＥに通知するためのシグナリング方法及びシステムを提供する。理解されるように、“ＰＢＣＨ／ＳＣＨ／ＣＲＳチャネル／信号”という用語は、特段の断りがない場合、チャネル又は信号のすべて又は何れか一部を表す可能性がある。
【００４８】
Ｓｃｅｌｌ  ＣＣがＰＢＣＨ／ＳＣＨ／ＣＲＳチャネル／信号を含まない場合、これらのチャネル／信号に通常関連付けされるリソースエレメントは、ユーザデータ（又は他の情報）をＵＥに送信するため割り当てられてもよい。ＬＴＥ及びＬＴＥ−Ａ規格によると、ＰＢＣＨ、ＳＣＨ及びＣＲＳのそれぞれには、ＬＴＥ  ＤＬフレーム内の所定のリソースエレメントセットが割当又は配分される。ＣＣがＰＢＣＨ／ＳＣＨ／ＣＲＳチャネル／信号を有しない場合、ＵＥは従来のように動作し（Ｒｅｌｅａｓｅ−８，Ｒｅｌｅａｓｅ−１０など）、すなわち、ＰＢＣＨ／ＳＣＨ／ＣＲＳのリソース（所定のリソースエレメントなど）が、ＰＢＣＨ／ＳＣＨ／ＣＲＳのためリザーブ（及び利用）される。ネットワークがＵＥにＰＢＣＨ／ＳＣＨ／ＣＲＳがあるか通知する場合、ＵＥは、それに従ってＰＤＣＣＨにおいて搬送される従来のリソース割当シグナリングを解釈する。従って、本開示は、同期検出が必要とされるとき、又はＰＢＣＨ／ＳＣＨ／ＣＲＳがセカンダリセルにおいて従来のＵＥに対する互換性を維持するのに必要とされるときなど、異なる状況に基づきＵＥに対してＰＢＣＨ／ＳＣＨ／ＣＲＳを動的に設定することを提案する。従来のＵＥは常に、ＰＢＣＨ／ＳＣＨ／ＣＲＳリソースエレメントがＰＢＣＨ／ＳＣＨ／ＣＲＳのためにリザーブされていると想定する。従って、従来のＵＥについて、ＰＢＣＨ／ＳＣＨ／ＣＲＳリソースは、他のデータ送信には利用できない。
【００４９】
非互換的なＳｃｅｌｌと動作不可なＵＥについて（現在、Ｒｅｌｅａｓｅ−１０のＵＥは互換的なＳｃｅｌｌのみと動作することが想定される）、ＰＢＣＨ／ＳＣＨがヘテロジーニアスタイプネットワークトポロジー（上述されるような）において同期取得及びセル特定のために利用できなくても、ＵＥは、Ｓｃｅｌｌが従来のチャネル／信号（すなわち、ＰＢＣＨ／ＳＣＨ／ＣＲＳチャネル／信号）を有すると想定できる。非互換的なＳｃｅｌｌと動作する能力を備えたＵＥに対して、Ｓｃｅｌｌを利用するためのより効率的な方法が可能である。
【００５０】
Ｒｅｌｅａｓｅ−１０では、Ｓｃｅｌｌ（ＣＣ）の中心周波数、物理的なセルＩＤ、アンテナポート情報及び帯域幅情報が、ＲＲＣ（Ｒａｄｉｏ  Ｒｅｓｏｕｒｃｅ  Ｃｏｎｔｒｏｌ）シグナリングを利用してＵＥに送信され、すなわち、Ｐｃｅｌｌにより確立されたＲＲＣ接続を介し送信される。Ｒｅｌｅａｓｅ−１０では、ＤＣサブキャリアは、ＵＥのＣＣ（又はセル）の帯域幅の中心周波数と常に同じであり、このため、ＣＣ（又はセル）の中心周波数及び帯域幅のサイズのシグナリングは、ＵＥがＲｅｌｅａｓｅ−１０において実際の周波数リソースを決定するのに十分である。さらに、ＳｃｅｌｌのＣＲＣ信号が、３６．２１４において規定されるＲＳＲＳ／ＲＳＰＱ測定又はＲｅｌｅａｓｅ−１０のＵＥによるＲＬＭ（Ｒａｄｉｏ  Ｌｉｎｋ  ｆａｉｌｕｒｅ  Ｍｏｎｉｔｏｒ）測定などのＲＲＭ（Ｒａｄｉｏ  Ｒｅｓｏｕｒｃｅ  Ｍａｎａｇｅｍｅｎｔ）測定のため利用されてもよい。従って、ＣＲＳ信号は、従来のＵＥがＳｃｅｌｌを利用するのに必要である。
【００５１】
他方、Ｒｅｌｅａｓｅ−１１又は以降のＵＥについて、ＣＲＳは不要である一方、ＤＭＲＳ及びＣＳＩ−ＲＳしか測定及び／又はチャネル推定のため設定されないことが可能である。これはオーバヘッドを低減する。この結果、従来のＵＥのサポートとＳｃｅｌｌを利用する効率との双方を考慮する方式がここで検討される。
【００５２】
図５を参照して、本開示の一実施例による処理５００を示すフロー図が示される。処理５００は、追加的なデータ（すなわち、非ＰＢＣＨ／ＳＣＨ／ＣＲＳデータ）を搬送するためのＳｃｅｌｌのＰＤＳＣＨリソースエレメントとして、ＰＢＣＨ／ＳＣＨ／ＣＲＳリソースエレメントなどの非ＰＤＳＣＨリソースエレメントを動的に割り当てる。
【００５３】
ＵＥ１１０ａ及びｅＮｏｄｅＢ３００ａは、第１キャリアコンポーネントに関するＰｃｅｌｌ接続を確立する（ステップ５０２）。第２キャリアコンポーネント（Ｐｃｅｌｌとのアグリゲーション用）に関する候補となるＳｃｅｌｌが特定され、関連するＳｃｅｌｌ識別情報（コンポーネントキャリア（ＣＣ）、物理セルＩＤ、アンテナポート情報、帯域幅情報など）がＵＥ１１０ａに送信される（ステップ５０４）。理解されるように、この情報の一部又はすべてがＵＥ１１０ａへの以降の送信中に伝送されてもよい。
【００５４】
ｅＮｏｄｅＢ３００ａは、候補となるＳｃｅｌｌに関する以下の判定を行う（ステップ５０６）。すなわち、ＰＢＣＨが必要又は要求されるか（ステップ５０６ａ）、（２）ＳＣＨが必要又は要求されるか（ステップ５０６ｂ）、及び／又は（３）ＣＳＲ／ＣＳＩ−ＲＳが必要又は要求されるか（ステップ５０６ｃ）判定する。このステップ又は異なるステップにおいて、ｅＮｏｄｅＢ３００ａはまた、帯域幅全体が配分されない場合にＵＥ１１０ａに配分される特定の帯域幅を特定する情報をＵＥ１１０ａに送信してもよい。（Ｓｃｅｌｌ帯域幅の部分的割当に関する以降のさらなる説明を参照されたい。）
一実施例では、従来のＵＥがＳｃｅｌｌによりサポートされる必要がある場合、ＳｃｅｌｌにＰＢＣＨ、ＳＣＨ及びＣＲＳ／ＣＳＩ−ＲＳを含めることが要求されてもよい。従来のＵＥは、ＬＴＥ規格のＲｅｌｅａｓｅ−８／１０による互換的なコンポーネントキャリアとの処理をサポートするＵＥとして規定される。サポートされる従来のＵＥは、ｅＮｏｄｅＢ３００ａとＳｃｅｌｌにおいて現在動作中の従来のＵＥ又はＳｃｅｌｌを介しｅＮｏｄｅＢとの接続を待機する従来のＵＥ（Ｐｃｅｌｌですでに動作しているが、追加的な帯域幅をリクエストしている従来のＵＥなど）を含むことができる。
【００５５】
一実施例では、ｅＮｏｄｅＢ３００ａは、既存のＰｃｅｌｌを介し当該情報をＵＥ１１０ａに送信する（ステップ５０８）。動作について、ＵＥ１１０ａには、所与のＳｃｅｌｌがＰＢＣＨ（ステップ５０８ａ）、ＳＣＨ（ステップ５０８ｂ）及び／又はＣＲＳ／ＣＳＩ−ＲＳ（ステップ５０８ｃ）を含むか通知される。この例では、ＵＥ１１０ａは、非互換的なコンポーネントキャリアと互換的なコンポーネントキャリア（Ｒｅｌｅａｓｅ−１１及びそれ以降など）との双方をサポートするＵＥである。理解されるように、ｅＮｏｄｅＢの判定ステップ（ステップ５０６）は、複数のステップ又は単一のステップとして処理されてもよく、図示された５０６ａ〜ｃのすべて又は一部のみが実行されてもよい。同様に、ＵＥ１１０ａへの判定情報の送信（ステップ５０８）は、複数ステップ又は単一ステップとして処理され、図示された５０８ａ〜ｃのステップのすべて又は一部のみが実行されてもよい。
【００５６】
ｅＮｏｄｅＢ３００ａからＵＥ１１０ａへの判定情報（ステップ５０８ａ〜ｃ）の送信は、より上位のレイヤのシグナリングを利用して実現されてもよい（ＭＡＣシグナリング又はＲＲＣシグナリングなど）。従って、ｅＮｏｄｅＢ３００ａは、所与のＳｃｅｌｌのコンポーネントキャリアにおいてＰＢＣＨ、ＳＣＨ及び／又はＣＲＳ／ＣＳＩ−ＲＳが存在するか否か（又は以降の存在するか否か）ＵＥ１１０ａに通知する。
【００５７】
一実施例では、ＲＲＣシグナリングは、専用又は報知シグナリングの形式によるそれのより高い信頼性のため実現される。例えば、報知シグナリングでは、ｅＮｏｄｅＢ３００ａは、既存のＰｃｅｌｌにおいてマスタ情報ブロック（ＭＩＢ）又はシステム情報ブロック（ＳＩＢ）内でこの情報を送信してもよい。既存のＰｃｅｌｌの他の部分がまた利用されてもよい。他の実施例では、専用シグナリングが、追加されたフレキシビリティを提供し、専用のＲＲＣシグナリングを利用して実現されてもよい。
【００５８】
ＵＥ１１０ａにおいて受信された情報が、ＳｃｅｌｌがＰＢＣＨ、ＳＣＨ及びＣＲＳ／ＣＳＩ−ＲＳを含むことを示す場合、従来、ＵＥ１１０ａは、動作中のＳｃｅｌｌ（図５では図示せず）内においてＰＢＣＨ、ＳＣＨ及びＣＲＳ／ＣＳＩ−ＲＳを受信及び利用してもよい。
【００５９】
そうでない場合、ＵＥ１１０ａにおいて受信される情報（すなわち、ＳｃｅｌｌについてＰＢＣＨ／ＳＣＨ／ＣＲＳがない）が、ＰＢＣＨ、ＳＣＨ及び／又はＣＲＳ／ＣＳＩ−ＲＳについて通常又は静的にリザーブされるリソースエレメントが、ｅＮｏｄｅＢ３００ａからＵＥ１１０ａにユーザデータ又は他の情報を搬送するのに利用可能であることを示す可能性がある。
【００６０】
任意的には、ＵＥ１１０ａは、ＵＥ１１０ａへのデータ送信用のこれらの非ＰＤＳＣＨリソースエレメントの１以上をリザーブ／特定するためのリクエストを生成し、ｅＮｏｄｅＢ３００ａに転送してもよい。すなわち、ＵＥ１１０ａは、ｅＮｏｄｅＢ３００ａが、ＰＢＣＨ、ＳＣＨ及び／又はＣＳＲ／ＣＳＩ−ＲＳを搬送するためＲｅｌｅａｓｅ  ８／１０により規定される特定のリソースエレメントなどの非ＰＤＳＣＨリソースエレメントを動的に割り当てる（又は再割り当てする）ことを要求してもよい。図示されるように、ＵＥ１１０ａは、ＵＥ１１０ａへのデータ送信用にＰＤＣＨリソースエレメントの１以上をリザーブ／特定するリクエストを送信してもよい（及びｅＮｏｄｅＢ３００は受信してもよい）（ステップ５１０ａ）。同様に、ＵＥ１１０ａは、ＵＥ１１０ａへのデータ送信用のＳＣＨリソースエレメントの１以上をリザーブ／特定するためのリクエストを送信し（及びｅＮｏｄｅＢ３００ａは受信し）（ステップ５１０ｂ）、ＵＥ１１０ａは、ＵＥ１１０ａへのデータ送信用のＣＳＲ／ＣＳＩ−ＲＳリソースエレメントの１以上をリザーブ／特定するためのリクエストを送信してもよい（ｅＮｏｄｅＢ３００ａは受信してもよい（ステップ５１０ｃ）。理解されるように、ステップ５１０は任意的であり、必要ではない。当該ステップは、ＵＥ自体がこれらのリソースエレメントの一部を特定及びリザーブすることが所望されるときに利用されてもよい。
【００６１】
ｅＮｏｄｅＢ３００ａは、ＰＢＣＨに通常属するＰＢＣＨリソースエレメントによりデータを送信する（及びＵＥ１１０ａは受信する）（ステップ５１２ａ）。同様に、ｅＮｏｄｅＢ３００ａは、ＳＣＨに属するＳＣＨリソースエレメントによりデータを送信し（及びＵＥ１１０ａは受信し）（ステップ５１２ｂ）、ｅＮｏｄｅＢ３００ａはＣＳＲ／ＣＳＩ−ＲＳに属するＣＳＲ／ＣＳＩ−ＲＳリソースエレメントによりデータを送信してもよい（ＵＥ１１０ａは受信してもよい）（ステップ５１２ｃ）。この“データ”は、これらの所定のリソースエレメント内に通常は含まれないユーザトラフィックデータ又は他のシステム情報データであってもよい。一実施例では、ｅＮｏｄｅＢ３００ａにより送信されるデータは、ダウンリンク物理共有チャネル（ＰＤＳＣＨ）によりＤＬ−ＳＣＨトランスポートチャネル内で通常送信されるユーザトラフィックデータである。
【００６２】
理解されるように、リザーブステップ（任意的なステップ５１０）及びｅＮｏｄｅＢデータ送信ステップ（ステップ５１２）に対する各ＵＥリクエストは、複数のステップ又は単一のステップとして処理されてもよく、図示された５１０ａ〜ｃ及び５１２ａ〜ｃのステップのすべて又は一部のみが実行されてもよい。
【００６３】
他の観点から、本開示は、ＰＤＳＣＨについて利用されるリソースエレメントの個数を増加する。これは、ＰＤＳＣＨにおいて通常搬送されるデータを搬送するためにＰＢＣＨ／ＳＣＨ／ＣＲＳのリソースエレメントを利用することによって実現される。従って、ＰＤＳＣＨ内のリソースエレメントの通常は静的な個数は、ＰＢＣＨ／ＳＣＨ／ＣＲＳのリソースエレメントを動的に利用することによって増加する。
【００６４】
本開示のため、“割当て”、“再割当て”、“再配分”又は“再定義”されたリソースエレメントという用語は、ＰＢＣＨ／ＳＣＨ／ＣＲＳデータ以外のデータを現在動的に搬送する（本開示の教示に従って）ＰＢＣＨ／ＳＣＨ／ＣＲＳデータ（又は以前に定義又は割り当てられていない）を搬送するため、ＬＴＥ  Ｒｅｌｅａｓｅ−８／１０に従って静的に定義されたリソースエレメントを表す。さらに、“ＰＢＣＨ／ＳＣＨ／ＣＲＳリソースエレメント”という用語は、ダウンリンクブロードキャストチャネル（ＰＢＣＨ）、同期信号（ＳＣＨ）及びリファレンス信号（ＣＲＳ／ＣＳＩ−ＲＳ）を搬送するため、ＬＴＥ  Ｒｅｌｅａｓｅ−８／１０内で静的に指定されるリソースエレメントの何れかを表す。
【００６５】
理解されるように、追加的なリソースエレメントの一部のみがＵＥ１１０ａに（ｅＮｏｄｅＢによって）割り当てられているか特定し、割り当てられている場合には何れの部分かを特定するため、追加的なシグナリングがこれらの割り当てられている（又は再割当てされた）リソースエレメント内に含まれてもよい。他の実施例では、ＵＥはまた、これらのリソースエレメントの特定のものを自らリザーブしてもよい（ステップ５１０を参照されたい）。例えば、割り当てられた（又は再割当てされた）リソースエレメントの異なる部分が異なるＵＥに配分されてもよい。
【００６６】
本開示はさらに、システム１００において任意的に利用されるさらなる効果及び教示を提供する。Ｒｅｌｅａｓｅ−１１及び以降のＵＥについて、ＣＣの１以上のＣＳＩ−ＲＳパターンがＵＥに通知されてもよい。しかしながら、従来のＵＥについて、１つのみのＣＳＩ−ＲＳパターンが、コンポーネントキャリアについてＵＥに通知できる。コンポーネントキャリアについてＵＥに複数のＣＳＩ−ＲＳパターンがある場合、ＳｃｅｌｌのセルＩＤなどのセルＩＤによって決定される同一のスクランブリングコードを有する必要はないかもしれない。他方、ＣＳＩ−ＲＳパターンは複数のＩＤに対応してもよい。例えば、ＵＥについて通知されたＣＳＩ−ＲＳパターンは、他の近傍セルのＣＳＩ−ＲＳパターンであってもよい。この場合、ＣＳＩ−ＲＳパターンは、近傍セルのセルＩＤにより決定されるスクランブリングコードによってスクランブル化される。従って、ＣＳＩ−ＲＳパターンの周波数シフト又はスクランブリングコードを決定するため通知されたＩＤは、近傍セルのセルＩＤと同じ値を有してもよい。ＣＳＩ−ＲＳパターンのスクランブリングコードを決定するためのＩＤが実際のセルに関連しているか、又は関連していなくてもよいが、ＵＥは知っている必要はないため、ＣＳＩ−ＲＳパターンのスクランブリングコードを決定するのに利用されるＩＤを“バーチャル”セルＩＤと呼ぶ。ＣＳＩ−ＲＳパターンのＩＤに対するスクランブリングコードの生成方法は、ＣＳＩ−ＲＳパターンのＩＤと同じ値を有するセルＩＤからＣＳＩ−ＲＳのスクランブリングコードを生成するためのＲｅｌｅａｓｅ−８と同じものである。
【００６７】
ＣＲＳについて、同様の方式が適用可能である。シグナリングは、シグナリングは、ＵＥにコンポーネントキャリア（又はセル）について複数のＣＲＳを通知してもよく、ＣＲＳは複数のＩＤにより決定された複数のスクランブリングコードによってスクランブル化されてもよい。ＣＲＳパターンの周波数シフトもまた、ＩＤにより決定されてもよい。一般に、ＩＤからスクランブリングコードを生成する方法は、互換性を維持するため、すなわち、Ｓｃｅｌｌが近傍のＬＴＥ−Ａ  Ｒｅｌｅａｓｅ−１０の互換セルからＣＲＳ／ＣＳＩ−ＲＳを借用することを可能にするため、Ｒｅｌｅａｓｅ−１０のセルＩＤから生成されるスクランブリングコードと同じであり、近傍セルのＩＤの値は、ＣＲＳ／ＣＳＩ−ＲＳパターンのスクランブリングコード又は周波数シフトを生成するためＵＥに通知されてもよい。
【００６８】
Ｒｅｌｅａｓｅ−１０では、スクランブリングコードは、ＣＲＳ／ＣＳＩ−ＲＳのためのシンボル／スロット／サブフレームとセルＩＤにより決定される初期的なフェーズによるＧｏｌｄシーケンスである。スクランブリングコードは、３ＧＰＰ規格で指定されるＣＲＳ／ＣＳＩ−ＲＳ信号に変調される。
【００６９】
ＣＣのための複数のＣＲＳ／ＣＳＩ−ＲＳパターンのシグナリングによると、ＵＥは、ＰＤＳＣＨのチャネル推定又は測定のためＣＲＳ／ＣＳＩ−ＲＳを利用してもよく（ＲＲＭ測定又はＣＳＩ−ＲＳ測定）、ＵＥはＣＲＳ／ＣＳＩ−ＲＳパターンに対応する実際の近傍セルがあるか否か知る必要はない。すなわち、スクランブリングコードを決定するためのセルＩＤは、ＵＥの観点からの実際のセルＩＤでなく、スクランブリングコード及び／又はＣＲＳ／ＣＳＩ−ＲＳパターンを生成するためのバーチャルセルＩＤであってもよい。すなわち、セルＩＤは、実際のセルのＩＤでなく、ＵＥがＣｏＭＰを実現するためＣＲＳ／ＣＳＩ−ＲＳパターンを通知するのに利用されるバーチャルセルＩＤであってもよい。ＵＥは複数のＣＲＳ／ＣＳＩ−ＲＳの情報を有しているため、例えば、ＵＥは、チャネル推定のためＣＲＳを利用するか、又はチャネル状態情報のフィードバックのためＣＳＩ−ＲＳを利用してもよく、ＵＥはダウンリンク送信のため複数のＣＲＳ／ＣＳＩ−ＲＳに対応するアンテナを利用することが可能であってもよい。特に、ＵＥは、空間周波数ブロック符号化（ＳＦＢＣ）又は空間時間ブロック符号化（ＳＴＢＣ）などの制御チャネルの送信ダイバーシティのため、ＣＲＳに対応する複数のアンテナを利用してもよい。
【００７０】
図６及び７に示されるように、ｅＮｏｄｅＢ３００ａ及び／又はリモートラジオヘッド（ＲＲＨ）６００は異なるセルＩＤを有してもよいが、ｅＮｏｄｅＢ３００ａ及び１つのＲＲＨ６００について、近傍のＲＲＨ／ｅＮｏｄｅＢ（又はセル）からの他のＣＲＳ／ＣＳＩ−ＲＳが、セルエッジパフォーマンスの向上のため現在のセルにおいてＵＥに通知可能である。
【００７１】
ＰＢＳＣＨ及び／又はＳＣＨ（以降においてＰＢＣＨ／ＳＣＨと呼ばれる）について、Ｒｅｌｅａｓｅ−１１又は以降のＵＥは、セルが近傍セル（マクロセル）によって重大な干渉を受けるヘテロジーニアスネットワークシナリオなどのいくつかのシナリオにおいてセルを特定するため、ＰＢＣＨ／ＳＣＨを正確に検出しなくてもよい。しかしながら、Ｐｃｅｌｌは、依然としてデータ送信又は受信のためのＳｃｅｌｌとしてセルを利用するようＵＥに通知することが可能であってもよい。Ｒｅｌｅａｓｅ−１０のシステムでは、すべてのコンポーネントキャリアは、Ｒｅｌｅａｓｅ−８に互換的なコンポーネントキャリアであることが想定され、従って、これらのＵＥは、ＰＤＳＣＨのリソース割当てを検討するときに常にＰＢＣＨ／ＳＣＨが存在することを想定する。すなわち、ＰＢＣＨ／ＳＣＨに配分されるリソースはリザーブされ、ＰＤＳＣＨの送信用には利用できない。しかしながら、Ｒｅｌｅａｓｅ−１１又は以降のＵＥについて、コンポーネントキャリアは、ＰＢＣＨ／ＳＣＨを有しない、又はＰＢＣＨ／ＳＣＨリソースがリザーブされているが、他のセルとの干渉を回避するため送信に利用されないなど、互換的でないかもしれない。従って、ＰＢＣＨ／ＳＣＨがリザーブされ、ＰＤＳＣＨの送信に利用できないか示すためのシグナリングは、ＳｃｅｌｌのフレキシブルなＰＢＣＨ／ＳＣＨコンフィギュレーションを可能にするための重要な考慮点である。
【００７２】
さらに、このシグナリングは、ＵＥに割り当てられたＣＣの帯域幅をＵＥに通知してもよい。データ送信に利用されないＣＣのＤＣサブキャリアの周波数位置は、一般にＤＣサブキャリアはハードウェアの実現の制約から生じるものであるため、通知されるべきである。実現の複雑さを回避するため（特に送信機における）、ＤＣサブキャリアが必要とされる。当該信号は、ＵＥにＤＣサブキャリアの位置とＣＣの全システム帯域幅を通知してもよい。全システム帯域幅は、システム帯域幅についてＲｅｌｅａｓｅ−８において定義される６つの値の１つであってもよい。ＣＣの全システム帯域幅は、ＤＣサブキャリア周波数と共に、ＵＥ  ｃａｐａｂｉｌｉｔｙ及びＲＡＮ４  ＲＦ要求をネゴシエートするのに有用であるかもしれない。一般に、ＣＣのＤＣサブキャリアは、Ｒｅｌｅａｓｅ−１０においてＣＣのシステム帯域幅のほぼ中心である。しかしながら、Ｒｅｌｅａｓｅ−１１又は以降のＵＥについて、本開示はさらに、ＵＥがデータを送受信するか、又はシステムをモニタリングするための周波数リソースの一部の割当てを創出／提案する。例えば、ＣＣの周波数リソースの一部のみが測定のため割り当てられ、ＵＥは、測定用のセルのシステム帯域幅の通知された部分においてＣＲＳ／ＣＳＩ−ＲＳを利用することのみ想定してもよいさらに、ＣＣの全周波数リソース帯域幅の一部のみがＵＥに割り当てられ、他の部分は割り当てられなくてもよい。
【００７３】
図８を参照して、ＵＥについて２つのコンポーネントキャリアが示され、キャリア１はプライマリＣＣであり、キャリア２はセカンダリＣＣである。図示されるように、本例では、キャリア２の斜線の周波数リソースのみがシステム１００によってＵＥに割り当てられる。
【００７４】
割当てをＵＥに通知するため、各種の適切な方法が利用可能である。１つのシグナリング方法及びリソース割当て方法は、ＤＣサブキャリアの周波数位置と共にＲＢ（リソースブロック）番号に関して、ＣＣの帯域幅のサイズと共にスタート又はストップＲＢ番号をＵＥに通知するものであってもよい。例えば、シグナリングは、ＵＥのためのＣＣの帯域幅はＲＢ  ｎからｎ＋ｂまでであることを示すものであってもよく、ｎはスタートＲＢ番号であり、ｂは当該ＵＥのためのトータルＲＢ数である。
【００７５】
従来のＵＥとの互換性を維持するため、ＵＥのＣＣ（又はセル）の特定の帯域幅のＣＲＳ／ＣＳＩ−ＲＳにおけるスクランブリングコードは、Ｒｅｌｅａｓｅ−８に定義される最大システム帯域幅及び実際のＤＣサブキャリア位置に基づき生成されるべきである。
【００７６】
他のシグナリング方法は、ビットマップに基づくものであってもよい。すなわち、ＲＢ又はＲＢグループ（ＲＢＧ）は、１以上のビットにより表現できる。このビット値は、ＲＢ／ＲＢＧがＵＥに割り当てられているか否かを決定する。図９において、一例が示される。ブランク部分は、ＤＣサブキャリアの中心である。ＤＣの周波数位置は、本例では６つのＲＢ（又はＲＢＧ）であるシステムの帯域幅全体と共にＵＥに通知される。信号は、当該ＵＥのリソース割当てのため、０と番号付けされたスタートＲＢと２つのＲＢ（斜線により示される）とを示すものであってもよい。従って、２つのＲＢ（又はＲＢＧ）は、ＵＥについて割り当てられた帯域幅である。本例では、ＵＥの帯域幅についてバーチャルＤＣが存在することを想定しない（実際、２つのＲＢ（ＲＢＧ）についてバーチャルＤＣは必要でない）。
【００７７】
ＵＥについて特定の帯域幅を通知するための利益がある。例えば、ＵＥのための制限された帯域幅は、より少ない帯域幅がリソース配分のためのより少ないオーバヘッドを意味するため、制限された帯域幅においてＰＤＳＣＨをスケジューリングするためのＰＤＣＣＨにおけるオーバヘッドを低減するようにしてもよい。他の効果は、干渉の調整を可能にすることである可能性がある。例えば、現在のセルのセルエッジユーザについて周波数リソースの一部があってもよく、近傍セルはセルエッジユーザについて異なる周波数リソースを利用してもよい。従って、現在のセルについて、周波数リソースの２つの異なる部分は異なる干渉を有してもよい。ＣＲＳ／ＣＳＩ−ＲＳについての２つの異なる周波数リソースの通知は、干渉の調整に役立つかもしれない。ＵＥに割り当てられた異なる周波数リソース部分について、異なるＣＲＳ／ＣＳＩ−ＲＳが設定可能である。１つのＣＣの最大システム帯域幅及びＤＣサブキャリア位置に基づきスクランブリングコードを生成するためＲｅｌｅａｓｅ−８と同じ方式を利用することによって、ＤＣサブキャリアを含む周波数リソースの中心部分が、Ｒｅｌｅａｓｅ−１０に互換的なＵＥに割当て可能である。最大システム帯域幅は、規格において予め定義される。
【００７８】
他の実施例では、ＵＥに利用する帯域幅が通知され、ＵＥについて通知された帯域幅内に含めるより大きなシステム帯域幅があってもよいし、なくてもよい。しかしながら、ＵＥの割り当てられた帯域幅からの制限された周波数リソースが、ＣＳＩ−ＲＳ／ＣＲＳのためＵＥに通知できる。すなわち、ＵＥの帯域幅の周波数リソースの一部のみがＣＳＩ−ＲＳ／ＣＲＳに割り当てられる。０から１４まで番号付けされたＲＢがそれの帯域幅としてＵＥに割り当てられた他の例が、図１０に示される。ＵＥには０〜４及び１０〜１４により番号付けされたＲＢ（斜線のＲＢ）のみがＣＳＩ−ＲＳ／ＣＲＳ情報を有すると通知されるか、又はＵＥは、これらのＲＢにおいて測定又はチャネル推定用のＣＳＩ−ＲＳ／ＣＲＳが存在することしか想定しなくてもよい。
【００７９】
他の例では、５〜９と番号付けされた中心部分のＲＢのみが、ＣＳＩ−ＲＳ／ＣＲＳを有するとしてＵＥに特定される。中心部分がＲｅｌｅａｓｅ−８に互換する場合、中心部分はＣＲＳを有してもよいが、他の周波数リソースは、双方の周波数リソースが当該ＵＥの帯域幅の一部として通知されても、ＣＲＳを有しなくてもよい。すなわち、拡張キャリア（Ｓｃｅｌｌ）上のＣＲＳ又はＣＳＩ−ＲＳは、ＵＥの完全な帯域幅又は部分的な帯域幅にあってもよい。ＵＥについて制限された帯域幅及び／又は制限されたＣＲＳ／ＣＳＩ−ＲＳによると、これは、干渉の影響を受けやすい帯域（例えば、ＧＰＳ周波数帯など）に近い周波数リソースがプロテクト可能であるという効果を提供するものであってもよい。
【００８０】
図８を再び参照して、キャリア２の下位部分のみが特定され、キャリア２の上位部分に近い周波数帯域に対する干渉を回避するため、データ送信用にＵＥに割り当てられる。アップリンク送信帯域幅について、ＵＥのための制限された帯域幅は、近傍の帯域に対するアップリンク干渉を低減するものであってもよい。帯域幅の中心周波数がＤＣサブキャリアでないＤＣサブキャリア周波数及び帯域幅をＵＥに通知するための方式が、ダウンリンクとアップリンクトの双方に適用可能である。
【００８１】
上述されるように、本開示は複数の貴重な特徴を提供する。例えば、シグナリング方法は、ｅＮｏｄｅＢがＵＥにＰＢＣＨ、ＳＣＨ及び／又はＣＲＳ（ＣＳＩ−ＲＳ）情報がセカンダリセル内に存在するか否かＵＥに通知する特徴を有する。このシグナリング情報は、ＰＢＣＨ／ＳＣＨ／ＣＲＳが存在してもいなくても同程度にシンプルにすることができる。このシグナリング情報はまた、ＣＲＳ／ＣＳＩ−ＲＳの帯域幅、ＵＥの帯域幅及び／又は帯域幅が（Ｓｃｅｌｌの）全帯域幅の一部であるか否かを示すものであってもよい。このシグナリングはまた、１以上のバーチャルセルＩＤに対応する１以上のスクランブリングコードによって１以上のＣＲＳ／ＣＳＩ−ＲＳパターンを示すようにしてもよい。
【００８２】
ＵＥは、セカンダリセルにＰＢＣＨ／ＳＣＨ／ＣＲＳが存在するか判断するためシグナリングを復号化し、存在しない場合、追加的なリソースエレメントがＰＢＣＨ、ＳＣＨ及び／又はＣＲＳの１以上のリソースエレメントを利用することによって、セカンダリセル内のＰＤＳＣＨに動的に割当て可能である。シグナリングは、制御チャネルが存在するか否か、及び／又は何れかの帯域幅が制御チャネルを有するか示すものであってもよい。シグナリングは、複数のバーチャルセルＩＤに対応する１以上のＣＲＳ／ＣＳＩ−ＲＳパターンを示すものであってもよい。しかしながら、バーチャルセルＩＤに対応しえないＣＲＳ／ＣＳＩ−ＲＳパターンを示すこともまた可能である。すなわち、より多くのＣＲＳ／ＣＳＩ−ＲＳパターンを有するため、Ｒｅｌｅａｓｅ−１０のＣＲＳ／ＣＳＩ−ＲＳパターンに加えて、Ｒｅｌｅａｓｅ−８のスクランブリングコード生成方式に従ってバーチャルセルＩＤにより生成されないスクランブリングコードを有するＣＲＳ／ＣＳＩ−ＲＳパターンがある。
【００８３】
以下の参考文献は、本開示の主題に関連する。これらの参考文献のそれぞれは、その全体が参照することによってここに援用される。
［１］３ＧＰＰ  ＴＳ  ３６．３３１，Ｖ１０．１．０（２０１１−０３）、３ｒｄ  Ｇｅｎｅｒａｔｉｏｎ  Ｐａｒｔｎｅｒｓｈｉｐ  Ｐｒｏｊｅｃｔ；Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ；Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ−ＵＴＲＡ）；Ｒａｄｉｏ  Ｒｅｓｏｕｒｃｅ  Ｃｏｎｔｒｏｌ（ＲＲＣ）；Ｐｒｏｔｏｃｏｌ  ｓｐｅｃｉｆｉｃａｔｉｏｎ（Ｒｅｌｅａｓｅ  １０）
［２］３ＧＰＰ  ＴＳ  ３６．２１３，Ｖ１０．１．０（２０１１−０３）、３ｒｄ  Ｇｅｎｅｒａｔｉｏｎ  Ｐａｒｔｎｅｒｓｈｉｐ  Ｐｒｏｊｅｃｔ；Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ；Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ−ＵＴＲＡ）；Ｐｈｙｓｉｃａｌ  ｌａｙｅｒ  ｐｒｏｃｅｄｕｒｅｓ（Ｒｅｌｅａｓｅ  １０）
［３］３ＧＰＰ  ＴＳ  ３６．２１１，Ｖ１０．１．０（２０１１−０３）、３ｒｄ  Ｇｅｎｅｒａｔｉｏｎ  Ｐａｒｔｎｅｒｓｈｉｐ  Ｐｒｏｊｅｃｔ；Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ；Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ−ＵＴＲＡ）；Ｐｈｙｓｉｃａｌ  ｃｈａｎｎｅｌｓ  ａｎｄ  ｍｏｄｕｌａｔｉｏｎ（Ｒｅｌｅａｓｅ  １０）
各特徴及び要素が特定の組み合わせにより上述されたが、各特徴又は要素は他の特徴及び要素なく単独で、又は他の特徴及び要素を有する又は有さない各種組み合わせで利用可能である。ここに提供される装置、方法又はフローチャートの１以上の機能又は処理の一部又はすべては、汎用コンピュータ又はプロセッサにより実行のためコンピュータ可読記憶媒体に実現されてもよい。コンピュータ可読記憶媒体の具体例として、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）、レジスタ、キャッシュメモリ、半導体記憶装置、内部のハードディスク及び着脱可能なディスクなどの磁気媒体、光磁気媒体、ＣＤ−ＲＯＭディスクやＤＶＤ（Ｄｉｇｉｔａｌ  Ｖｅｒｓａｔｉｌｅ  Ｄｉｓｋ）などの光媒体などがあげられる。
【００８４】
本特許明細書を通じて利用される特定の単語及びフレーズの定義を提供することが効果的であるかもしれない。“含む”及び“有する”という用語は、それらの派生語と共に限定することなく内包を意味する。“又は”という用語は、内包的であり、及び／又はを意味する。“関連する”及び“それに関連する”というフレーズは、それらの派生語と共に、内部に含まれる、相互接続される、含む、内部に含まれる、接続する、結合する、通信可能である、連係する、インタリーブする、転置する、近接する、しなければならない、有する、性質を有するなどを含むことを意味する。“コントローラ”という用語は、少なくとも１つの処理を制御する何れかの装置、システム又はその一部を意味する。コントローラは、ハードウェア、ファームウェア、ソフトウェア又は同じものの少なくとも１つの組み合わせにより実現されてもよい。何れか特定のコントローラに関連する機能は、ローカル又はリモートにかかわらず、中央化又は分散化されてもよい。
【００８５】
本開示は特定の実施例と全体的に関連する方法とを説明したが、これらの実施例及び方法の変更及び組み合わせが当業者に明らかであろう。従って、実施例の上記説明は、本開示を定義又は制限するものでない。以下の請求項により規定されるような本開示の趣旨及び範囲から逸脱することなく、他の変更、置換及び変形がまた可能である。
【図１】
0005755800.tif 000002
【図２】
0005755800.tif 000003
【図３】
0005755800.tif 000004
【図４】
0005755800.tif 000005
【図５】
0005755800.tif 000006
【図６】
0005755800.tif 000007
【図７】
0005755800.tif 000008
【図８】
0005755800.tif 000009
【図９】
0005755800.tif 000010
【図１０】
0005755800.tif 000011